(57)【要約】【課題】液晶表示部前面の透光性板に外力が生じても透光性板や液晶表示部が破壊されるのを防ぐようにした液晶表示装置を提供すること。【解決手段】透光性板４０と液晶表示部１０との間には、透光性のシリコンラバー等からなる弾性体５０が配置される。エクスカッションパネル３０の開口部３１に挿入された透光性板４０は、エクスカッションパネル３０の後面側から挿入された弾性体５０の曲面部５１により前方側へ押圧される。この結果、弾性体５０は、透光性板４０の曲面に沿って弾性変形する。透光性板４０に作用する外力は、弾性体５０で吸収される。【選択図】　図１
2004029646.tif 000002
【特許請求の範囲】
【請求項１】
表示機能を有する液晶表示部と、前記液晶表示部の前面に設けられた透光性板と、前記液晶表示部と前記透光性板との間に介在された透光性の弾性体とを有することを特徴とする液晶表示装置。
【請求項２】
前記弾性体は、前面から後面にかけて硬度が異なることを特徴とする請求項１に記載の液晶表示装置。
【請求項３】
前記透光性板は曲面を有し、前記弾性体の硬度は、前記弾性体の前記透光性板に近い側の部分がより後面側にある部分に比べて小さくなるようにして、前記透光性板に近い側の部分を前記透光性板の曲面に沿って弾性変形させたことを特徴とする請求項２に記載の液晶表示装置。
【請求項４】
前記液晶表示部の外面と前記透光性板の内面とは、異なった曲率であり、前記弾性体を弾性変形させて前記液晶表示部と前記透光性板との前記曲率の差を吸収したことを特徴とする請求項１乃至請求項３のいずれかに記載の液晶表示装置。
【請求項５】
前記弾性体が、着色されていることを特徴とする請求項１乃至請求項４のいずれかに記載の液晶表示装置。
【請求項６】
前記弾性体は、前記液晶表示部の表示面を覆い、前面に凸となる曲面形状としたことを特徴とする請求項１乃至請求項５のいずれかに記載の液晶表示装置。
【請求項７】
前記弾性体が、前記液晶表示部を気密に覆うことを特徴とする請求項１乃至請求項６のいずれかに記載の液晶表示装置。
【請求項８】
曲面を有する透光性板をパネルに取り付けた後、前記透光性板に透光性の弾性体を押圧することにより前記弾性体の前記透光性板への当接部分を圧縮して前記透光性板の前記曲面に沿わせ、液晶表示部と前記透光性板との間に前記弾性体を介在させるようにしたことを特徴とする液晶表示装置の製造方法。
【発明の詳細な説明】
【０００１】
【発明の属する技術分野】
本発明は、透光性板を液晶表示部の前面に設けた液晶表示装置に関するものである。
【０００２】
【従来技術】
従来、この種の液晶表示装置は、図４に示すようにリアパネル２００に固定した液晶表示部１００と、液晶表示部１００の前面に若干の隙間を設けて配置した透光性板４００と、透光性板４００が取り付けられる開口分３１０を有するエスカッションパネル３００とを備え、エクステリアの一部を構成する透光性板４００を介して液晶表示部２００に映し出された文字や映像を見ることができ、かつ透光性板４００で液晶表示部２００を保護していた。
【０００３】
【発明が解決しようとする課題】
しかし、このような従来の液晶表示装置では、透光性板４００に外力が作用した場合、透光性板４００の厚みが限られているので、大きい外力が透光性板４００に作用すると透光性板４００やその奥の液晶表示部１００が破損したり、あるいは破損しないまでも液晶表示部１００が動作不良となったりする場合があるという問題があった。
本発明はこのような問題を解決するためになされたもので、液晶表示部の前面にある透光性板に外力が作用しても透光性板や液晶表示部が破壊されたり動作不良になったりするのを抑制することができるようにした液晶表示装置を提供するものである。
【０００４】
【課題を解決するための手段】
本発明の液晶表示装置は、表示機能を有する液晶表示部と、前記液晶表示部の前面に設けられた透光性板と、前記液晶表示部と前記透光性板との間に介在された透光性の弾性体とを有する構成を有している。この構成により、透光性板に外力が作用しても透光性板や液晶表示部が破壊されたり動作不良になったりするのを抑制することができることとなる。
【０００５】
また、本発明の液晶表示装置は、表示機能を有する液晶表示部と、前記液晶表示部の前面に設けられた透光性板と、前記液晶表示部と前記透光性板との間に介在された透光性の弾性体とを有するとともに、前記弾性体が、前面から後面にかけて硬度が異なる構成を有している。この構成により、透光性板に作用した外力を吸収するための弾性体の設定の自由度を大きくすることができる。
【０００６】
また、本発明の液晶表示装置は、表示機能を有する液晶表示部と、前記液晶表示部の前面に設けられた透光性板と、前記液晶表示部と前記透光性板との間に介在された透光性の弾性体とを有するとともに、前記透光性板が曲面を有し、前記弾性体の硬度を、前記弾性体の前記透光性板に近い側の部分がより後面側にある部分に比べて小さくなるようにして、前記透光性板に近い側の部分を前記透光性板の曲面に沿って弾性変形させた構成を有している。この構成により、弾性体を透光性板の曲率に沿わせやすくなるとともに、透光性板に作用する外力も吸収しやすくなる。
【０００７】
また、本発明の液晶表示装置は、表示機能を有する液晶表示部と、前記液晶表示部の前面に設けられた透光性板と、前記液晶表示部と前記透光性板との間に介在された透光性の弾性体とを有するとともに、前記液晶表示部の外面と前記透光性板の内面とで異なった曲率を有しており、前記弾性体を弾性変形させて前記液晶表示部と前記透光性板との前記曲率の差を吸収した構成を有している。この構成により、弾性体をあらかじめ液晶表示部や透光性板の曲面に合わせて形成しておかなくても、弾性変形させて液晶表示部と透光性板との各曲面に沿わせることが可能となる。
【０００８】
また、本発明の液晶表示装置は、表示機能を有する液晶表示部と、前記液晶表示部の前面に設けられた透光性板と、前記液晶表示部と前記透光性板との間に介在された透光性の弾性体とを有するとともに、前記液晶表示部の外面と前記透光性板の内面とは、異なった曲率であり、前記弾性体を弾性変形させて前記液晶表示部と前記透光性板との前記曲率の差を吸収した構成を有している。この構成により、液晶表示部に表示された文字や映像を好みの色に着色することが可能となる。
【０００９】
また、本発明の液晶表示装置は、表示機能を有する液晶表示部と、前記液晶表示部の前面に設けられた透光性板と、前記液晶表示部と前記透光性板との間に介在された透光性の弾性体とを有するとともに、前記弾性体が、前記液晶表示部の表示面を覆い、前面に凸となる曲面形状とした構成を有している。この構成により、液晶表示部に表示された文字や映像を弾性体のレンズ効果で拡大したり視野を変えたりすることが可能となる。
【００１０】
また、本発明の液晶表示装置は、表示機能を有する液晶表示部と、前記液晶表示部の前面に設けられた透光性板と、前記液晶表示部と前記透光性板との間に介在された透光性の弾性体とを有するとともに、前記弾性体が、前記液晶表示部を気密に覆う構成を有している。この構成により、弾性体を利用して液晶表示部に塵等の異物が侵入するのを防ぐことが可能となる。
【００１１】
また、本発明の液晶表示装置の製造方法は、曲面を有する透光性板をパネルに取り付けた後、前記透光性板に透光性の弾性体を押圧することにより前記弾性体の前記透光性板への当接部分を圧縮して前記透光性板の前記曲面に沿わせ、液晶表示部と前記透光性板との間に前記弾性体を介在させるようにした構成を有している。この構成により、透光性板が曲面であっても弾性体に曲面を形成するための型を製作することなく弾性体を弾性変形して透光性板の曲面に沿った曲面を形成することが可能となる。
【００１２】
【発明の実施の形態】
以下、本発明の実施の形態について、図面を用いて説明する。
図１は、本発明の第１の実施の形態の液晶表示装置の断面図、図２は本発明の第１の実施の形態の液晶表示装置の一部を断面にした分解斜視図である。
【００１３】
図１および図２に示すように、本発明の第１の実施の形態の液晶表示装置１は、表示部１１を有する液晶表示部１０と、開口部３１が形成され液晶表示部１０の前面側に配置されたエスカッションパネル３０と、エスカッションパネル３０の開口部３１に設置された透光性板４０と、透光性板４０および液晶表示部１０の間に配置された弾性体５０とを有する。
【００１４】
液晶表示部１０は、文字や画像等を表示可能な表示部１１が前面にくるようにしてその後面がリアパネル２０に固定されている。
エスカッションパネル３０は、透光性板４０を挿入するための開口部３１が形成されるとともに、この開口部３１に沿ってエスカッションパネル３０の後面側から後方へ向けて突出した突出部３２を有する。
透光性板４０は、エスカッションパネル３０の開口部３１に入れられる部分が前方に凸となるような曲面になるように透光性のあるプラスティックで形成され、その長手方向の両側端に前記突出部３１に後面側から当接して透光性板４０が開口部３１から前方へ飛び出して外れるのを防止する２つのストッパ部４１、４２が形成されている。
【００１５】
弾性体５０は、透光性のシリコンラバー等で一体形成し、前面が透光性板４０の曲面に沿った曲面を有しエスカッションパネル３０の開口部３１内に挿入可能な形状の曲面部５１を有する。弾性体５０は、曲面部５１の周りに、エスカッションパネル３０の突出部３２を受け入れ可能な溝部５４と、突出部３２の外側を覆う突出部５３とが形成されるとともに、突出部５３に一体に形成され後面へ伸びて液晶表示部１０の側壁を覆い先端がリアパネル２０に当接する筒状部５２が設けられている。
【００１６】
なお、図１では、エスカッションパネル３０の突出部３２の先端と弾性体５０の溝部５４との間には、前後方向（図１では上下方向）に隙間があるが、隙間の図の隠れた部分（開口部３２の長手方向に沿った部分）には透光性板４０の両ストッパ部４１、４２が存在し、エスカッションパネル３０の突出部３２と弾性体の溝部５４との間に挟まれている。この結果、弾性体５０の筒状部５２は、透光性板４０の両ストッパ部４１、４２とリアパネル２０との間で圧縮され、液晶表示部１０をリアパネル２０とで気密に保ち、外部から塵等の異物が液晶表示部１０に侵入するのを防ぐようにしてある。
【００１７】
弾性体５０の曲面部５１の後面部分および筒状部５２の内壁と液晶表示部１０の表示部１１側面および側面との間は、若干隙間が設けてあり弾性体５０が容易に変形しやすいようにしてある。また、両ストッパ部４１、４２から前方に突出した弾性体５０の曲面部５１は、圧縮され透光性板４０を前方へ押圧するように作用して透光性板４０の内面に密着するが、透光性板４０は両ストッパ部４１、４２がエスカッションパネル３０の突出部３２に係合しているので開口部３１から外れることはない。
【００１８】
以上のように、本発明の第１の実施の形態の液晶表示装置は、透光性板４０と液晶表示部１０との間に透光性の弾性体５０を設け、透光性板４０に外力が作用しても、弾性体５０が弾性変形しながら応力を分散して外力による衝撃を吸収するので、透光性板４０の変形量が抑えられるとともに、液晶表示部１０には分散され小さくなった応力が作用するようになり、この結果透光性板４０や液晶表示部１０が破損したり、液晶表示部１０が動作不良になったりするのを防ぐことができる。また、弾性体５０の筒状部５２と曲面部５１とリアパネル２０とで液晶表示部１０を気密に覆っているので、塵等の異物が液晶表示部１０に入るのを防ぐことが可能となる。また、弾性体５０の曲面部５１が透光性板４０を前方へその弾性力により押圧するので、透光性板４０がエスカッションパネル３０に対し、がたつくのを防ぐことができる。また、曲面部５１が液晶表示部１０と透光性板４０との間に存在することにより、レンズ効果が発揮され液晶表示部１０の表示部１１に表示された文字や映像を拡大してみせるようにすることも可能となる。
【００１９】
図３は本発明の第２の実施の形態の液晶表示装置の断面図を示す。なお、第２の実施の形態の液晶表示装置１で第１の実施の形態と実質的に同一の部分には第１の実施の形態と同じ符号を付し、その説明を省略する。
この液晶表示装置１は、上記第１の実施の形態とは弾性体５０の曲面部が異なっており、第１の実施の形態の曲面部５１に代え、後面側のフラットな後面側部５６と、この後面側部５６より硬度が小さい前面側部５５とを有する。また前面側部５５は、第１の実施の形態の曲面部５１の前面が曲面に形成されていたのに対し、前面後面ともフラットな面で形成されている。
【００２０】
この液晶表示装置１を組み立てるには、まず透光性板４０をエスカッションパネル３０の後方からその開口部３１に挿入し、第１の実施の形態の場合と同じように、透光性板４０の両ストッパ部４１、４２をエスカッションパネル３０の突出部３２に係止する。この状態で、透光性板４０の後方から、透光性板４０の後面に弾性体５０の前面部５５が当接するように入れ、さらに後面側部５６を開口部３１から挿入して、液晶表示部１０を取り付けたリアパネル２０をエスカッションパネル３０に取り付ける。このとき、弾性体５０の前面部５１は、硬度が後面側部５６より小さく設定してあるので、容易に弾性変形して透光性板４０の曲面に沿うように変形する。
【００２１】
この構成によれば、第１の実施の形態と同様な効果が得られるほか、弾性体５０を成型するための型を、透光性板４０の曲面に合わせた曲面部分を形成する必要がなくなり、型の費用を安価にすることが可能となる。
【００２２】
なお、上記実施の形態の液晶表示装置の弾性体５０の曲面部５１は、硬度を前側から後側に向かうにしたがって大きさが連続的に変わるようにしてもよい。また、上記各実施の形態の液晶表示装置では弾性体５０に筒状部５２を形成したが、これは必ずしも必要でなく弾性体５０を液晶表示部１０の表示部１１側の面と透光性板４０の後面とに当接させて介在させるようにしてもよい。第２の実施の形態の液晶表示装置のように弾性体をフラットな面の前面側部５５とフラットな面の後面側部５６とのみで形成し、これらを透光性板４０およびエスカッションパネル３０と液晶表示部１０の前面との間に挟み込むようにすれば、弾性体５０を形成するための型が不要となる。
【００２３】
また、第２の実施の形態では、前面部５５と後面部５６とは単に当接させていただけだが、これらを貼り合わせてもよい。また、曲面部５１や前面部５５に透光性板４０を貼り付けることも可能であり、この場合、透光性板４０のストッパ部４１は不要とすることが可能である。さらに、弾性体５０に透光性を確保しながら着色することも可能である。また、透光性板４０は前面に凸の曲面ではなく、前面に凹の曲面とすることも可能でありいずれの場合にもレンズ効果が得られる。また、弾性体５０は、液晶表示部１０の表示部１１だけを覆うようにしてもよい。
【００２４】
【発明の効果】
以上説明したように、本発明は透光性板と液晶表示部との間に弾性体を介在させたことにより、透光性板に外力が作用した場合弾性体で外力を受けその応力を分散させるので、透光性板や液晶表示部が破壊されたり液晶表示部が動作不良になったりするのを抑制することができるというすぐれた効果を有する液晶表示装置を提供することができるものである。
【図面の簡単な説明】
【図１】本発明の第１の実施の形態の液晶表示装置の断面図
【図２】本発明の第１の実施の形態の液晶表示装置の一部を断面にした分解斜視図
【図３】本発明の第２の実施の形態の液晶表示装置の断面図
【図４】従来の液晶表示装置の断面図
【符号の説明】
１　液晶表示装置
１０　液晶表示部
１１　表示部
２０　リアパネル
３０エクスカッションパネル
４０　透光性板
４１、４２　ストッパ部
５０　弾性体
５１　曲面部
５２　筒状部
５５　前面部
５６　後面部
【図１】
2004029646.tif 000003
【図２】
2004029646.tif 000004
【図３】
2004029646.tif 000005
【図４】
2004029646.tif 000006